(57)【要約】【課題】  変電所における機器の配置を示す機器配置図の作成処理の作業を迅速かつ的確に行うことができるようにし、機器配置図作成作業の効率化を図る。【解決手段】  機器配置図作成装置１００が、機器が配置される配置フロア内における設置対象の機器および当該機器の設置場所の指定を受け付け、受け付けられた機器である指定機器を示す指定機器図形を、受け付けられた設置場所である指定設置場所に仮表示し、指定機器および指定設置場所が、あらかじめ定められた設計条件を満たすか否か判定し、設計条件を満たすと判定されたことに応じて、配置フロア内の指定設置場所に仮表示されていた指定機器図形を確定表示する。【選択図】  図３
2006184983.tif 000002
【特許請求の範囲】
【請求項１】
変電所に設置される機器の配置図を示す機器配置図を作成する機器配置図作成装置（１００）であって、
機器が配置される配置フロア内における設置対象の機器および当該機器の設置場所の指定を受け付ける配置指定受付部（１７）と、
前記配置指定受付部によって受け付けられた機器である指定機器を示す指定機器図形を、前記配置指定受付部によって受け付けられた設置場所である指定設置場所に仮表示する仮表示処理部（１７）と、
あらかじめ定められた設計条件を記憶する設計条件記憶部（２０）と、
前記指定機器および前記指定設置場所が、前記設計条件記憶部に記憶された設計条件を満たすか否か判定する設計条件判定部（１８）と、
前記設計条件判定部によって前記設計条件を満たすと判定されたことに応じて、前記仮表示処理部によって前記配置フロア内の指定設置場所に仮表示されていた前記指定機器図形を確定表示する確定表示処理部（１７）と、を備えた、ことを特徴とする機器配置図作成装置。
【請求項２】
機器配置図を記憶する機器配置図記憶部（１６）と、
機器配置図の作成完了の指定を受け付ける完了指定受付部（１７）と、
前記完了指定受付部によって機器配置図の作成完了の指定が受け付けられたことに応じて、確定表示処理部によって確定表示された指定機器図形を含む機器配置図を前記機器配置図記憶部に保存する機器配置図保存処理部（１７）と、を備えた、ことを特徴とする請求項１の機器配置図作成装置。
【請求項３】
設計条件判定部によって設計条件を満たさないと判定されたことに応じて、その旨を示すエラー表示を行うエラー表示処理部（１７）を備えた、ことを特徴とする請求項１又は２の機器配置図作成装置。
【請求項４】
設置対象の機器を示す機器図形を取り込む図形取込部（１３）を備え、
配置指定受付部は、前記図形取込部によって取り込まれた機器図形の指定を受け付けることで、設置対象の機器の指定を受け付ける、ことを特徴とする請求項１、２又は３の機器配置図作成装置。
【請求項５】
作成された機器配置図に従って配置フロアに配置された機器の位置を測定する位置測定部（２１ａ〜２１ｎ）と、
前記位置測定部によって測定された位置にもとづいて、前記機器配置図に示された設置場所に正しく機器が配置されているか否かを判定する配置状態判定部（１９）と、
前記配置状態判定部の判定結果を表示する配置状態表示処理部（１９）と、を備えた、ことを特徴とする請求項１ないし請求項４のうちいずれかに記載の機器配置図作成装置。
【請求項６】
変電所に設置される機器の配置図を示す機器配置図を作成する機器配置図作成方法であって、
機器が配置される配置フロア内における設置対象の機器および当該機器の設置場所の指定を受け付け、
受け付けた機器である指定機器を示す指定機器図形を、受け付けた設置場所である指定設置場所に仮表示し、
前記指定機器および前記指定設置場所が、あらかじめ定められた設計条件を記憶する設計条件記憶部（２０）に記憶された当該設計条件を満たすか否か判定し、
前記設計条件を満たすと判定されたことに応じて、前記配置フロア内の指定設置場所に仮表示されていた前記指定機器図形を確定表示する、ことを特徴とする機器配置図作成方法。
【請求項７】
機器配置図の作成完了の指定を受け付け、
機器配置図の作成完了の指定を受け付けたことに応じて、確定表示された指定機器図形を含む機器配置図を機器配置図記憶部（１６）に保存する、ことを特徴とする請求項６記載の機器配置図作成方法。
【請求項８】
設計条件を満たさないと判定されたことに応じて、その旨を示すエラー表示を行う、ことを特徴とする請求項６又は７の機器配置図作成方法。
【請求項９】
設置対象の機器を示す機器図形を取り込む図形取込部（１３）によって取り込まれた機器図形の指定を受け付けることで、設置対象の機器の指定を受け付ける、ことを特徴とする請求項６、７又は８の機器配置図作成方法。
【請求項１０】
作成された機器配置図に従って配置フロアに配置された機器の位置を測定する位置測定部（２１ａ〜２１ｎ）によって測定された位置にもとづいて、前記機器配置図に示された設置場所に正しく機器が配置されているか否かを判定し、判定結果を表示する、ことを特徴とする請求項６、７、８又は９の機器配置図作成方法。
【請求項１１】
変電所に設置される機器の配置図を示す機器配置図を作成させるための機器配置図作成プログラムであって、
コンピュータに、
機器が配置される配置フロア内における設置対象の機器および当該機器の設置場所の指定を受け付けるステップと、
受け付けた機器である指定機器を示す指定機器図形を、受け付けた設置場所である指定設置場所に仮表示するステップと、
前記指定機器および前記指定設置場所が、あらかじめ定められた設計条件を記憶する設計条件記憶部（２０）に記憶された当該設計条件を満たすか否か判定するステップと、
前記設計条件を満たすと判定されたことに応じて、前記配置フロア内の指定設置場所に仮表示されていた前記指定機器図形を確定表示するステップとを、実行させるための機器配置図作成プログラム。
【請求項１２】
コンピュータに、さらに、
機器配置図の作成完了の指定を受け付けるステップと、
機器配置図の作成完了の指定を受け付けたことに応じて、確定表示された指定機器図形を含む機器配置図を機器配置図記憶部（１６）に保存するステップとを、実行させるための請求項１１の機器配置図作成プログラム。
【請求項１３】
コンピュータに、さらに、
設計条件を満たさないと判定されたことに応じて、その旨を示すエラー表示を行うステップを、実行させるための請求項１１又は１２の機器配置図作成プログラム。
【請求項１４】
コンピュータに、さらに、
設置対象の機器を示す機器図形を取り込む図形取込部（１３）によって取り込まれた機器図形の指定を受け付けることで、設置対象の機器の指定を受け付けるステップを、実行させるための請求項１１、１２又は１３の機器配置図作成プログラム。
【請求項１５】
コンピュータに、さらに、
作成された機器配置図に従って配置フロアに配置された機器の位置を測定する位置測定部（２１ａ〜２１ｎ）によって測定された位置にもとづいて、前記機器配置図に示された設置場所に正しく機器が配置されているか否かを判定するステップと、該判定の結果を表示するステップとを、実行させるための請求項１１、１２、１３又は１４の機器配置図作成プログラム。
【発明の詳細な説明】
【技術分野】
【０００１】
本発明は、変電所に設置される機器の配置図を示す機器配置図を作成する機器配置図作成装置、機器配置図作成方法、および機器配置図作成プログラムに関するものである。
【背景技術】
【０００２】
変電所の新設や改修を行う際には、変電所に設置される機器の配置図を示す機器配置図が作成され、その機器配置図にもとづいて機器が配置される。
【０００３】
従来は、機器配置図は、変電所の新設や改修を行う毎に、手作業によって作成されていた。また、機器の配置場所や機器の配置間隔などが、あらかじめ定められている設計条件を満たしているか否かを検討しながら、設計条件を満たすように機器配置図が作成されていた。
【０００４】
そして、作成された機器配置図にもとづく機器の配置などを行う新設・改修工事が完了した後に、現地確認がなされ、機器配置図にもとづく配置状態のチェックなどが行われ、チェック完了後に機器配置図が図面登録されるようにしていた。
【０００５】
なお、従来から、ソフトウェアを用いて図面が作成されるようにしたものは提案されている（特許文献１−２参照）。
【特許文献１】特開平５−９４４８９号公報
【特許文献２】特開平５−１８９４９９号公報
【発明の開示】
【発明が解決しようとする課題】
【０００６】
しかし、上述したように、従来は、機器配置を変更する毎に機器配置図を手作業で作成しており、さらに、設計条件を満たしているか否かを作業員が一つ一つ検討するようにしていたので、作業時間を要していただけでなく、検討漏れや検討結果の誤りなどが生じるおそれがあるという課題があった。
【０００７】
また、特許文献１−２に記載されている従来技術は、作成すべき図面の構図や内容（例えば下書き）が定まっている場合に、電子データによる図面を作成することは可能であるが、図面を作成する際に制限事項などを加味しなければならない場合には、図面を作成する者が制限事項などを考慮しながら図面作成作業を行う必要があるため、やはり、作業時間に長時間を要してしまうことに変わりはない。また、電子データによって図面を作成する場合についても、手作業で図面を作成するときと同様に、制限事項の検討漏れや検討結果の誤りなどが生じ、制限事項に反した図面が作成されてしまうおそれがあった。
【０００８】
本発明は、かかる問題点を解決するために創案されたものである。すなわち、本発明の目的は、変電所における機器の配置を示す機器配置図の作成・変更などの処理の作業を迅速かつ的確に行うことができ、機器配置図作成作業の効率化を図ることができる機器配置図作成装置、機器配置図作成方法、及び機器配置図作成プログラムを提供することにある。
【課題を解決するための手段】
【０００９】
本発明の機器配置図作成装置によれば、変電所に設置される機器の配置図を示す機器配置図を作成する機器配置図作成装置（１００）であって、機器が配置される配置フロア内における設置対象の機器および当該機器の設置場所の指定を受け付ける配置指定受付部（１７）と、前記配置指定受付部によって受け付けられた機器である指定機器を示す指定機器図形を、前記配置指定受付部によって受け付けられた設置場所である指定設置場所に仮表示する仮表示処理部（１７）と、あらかじめ定められた設計条件を記憶する設計条件記憶部（２０）と、前記指定機器および前記指定設置場所が、前記設計条件記憶部に記憶された設計条件を満たすか否か判定する設計条件判定部（１８）と、前記設計条件判定部によって前記設計条件を満たすと判定されたことに応じて、前記仮表示処理部によって前記配置フロア内の指定設置場所に仮表示されていた前記指定機器図形を確定表示する確定表示処理部（１７）と、を備えた、ことを特徴とする機器配置図作成装置が提供される。
【００１０】
上記構成の機器配置図作成装置では、変電所における機器の配置を示す機器配置図の作成・変更などの処理の作業を迅速かつ的確に行うことができ、機器配置図作成作業の効率化を図ることができるようになる。
【００１１】
機器配置図を記憶する機器配置図記憶部（１６）と、機器配置図の作成完了の指定を受け付ける完了指定受付部（１７）と、前記完了指定受付部によって機器配置図の作成完了の指定が受け付けられたことに応じて、確定表示処理部によって確定表示された指定機器図形を含む機器配置図を前記機器配置図記憶部に保存する機器配置図保存処理部（１７）と、を備えた、構成とされていてもよい。
【００１２】
設計条件判定部によって設計条件を満たさないと判定されたことに応じて、その旨を示すエラー表示を行うエラー表示処理部（１７）を備えた、構成とされていてもよい。
【００１３】
設置対象の機器を示す機器図形を取り込む図形取込部（１３）を備え、配置指定受付部は、前記図形取込部によって取り込まれた機器図形の指定を受け付けることで、設置対象の機器の指定を受け付ける、ように構成されていてもよい。
【００１４】
作成された機器配置図に従って配置フロアに配置された機器の位置を測定する位置測定部（２１ａ〜２１ｎ）と、前記位置測定部によって測定された位置にもとづいて、前記機器配置図に示された設置場所に正しく機器が配置されているか否かを判定する配置状態判定部（１９）と、前記配置状態判定部の判定結果を表示する配置状態表示処理部（１９）と、を備えた、構成とされていてもよい。
【００１５】
本発明の機器配置図作成方法によれば、変電所に設置される機器の配置図を示す機器配置図を作成する機器配置図作成方法であって、機器が配置される配置フロア内における設置対象の機器および当該機器の設置場所の指定を受け付け（例えばステップＳ１０２）、受け付けた機器である指定機器を示す指定機器図形を、受け付けた設置場所である指定設置場所に仮表示し（例えばステップＳ１０３）、前記指定機器および前記指定設置場所が、あらかじめ定められた設計条件を記憶する設計条件記憶部（２０）に記憶された当該設計条件を満たすか否か判定し（例えばステップＳ１０４）、前記設計条件を満たすと判定されたことに応じて（例えばステップＳ１０５）、前記配置フロア内の指定設置場所に仮表示されていた前記指定機器図形を確定表示する（例えばステップＳ１０６）、ことを特徴とする機器配置図作成方法が提供される。
【００１６】
機器配置図の作成完了の指定を受け付け（例えばステップＳ１０７）、機器配置図の作成完了の指定を受け付けたことに応じて、確定表示された指定機器図形を含む機器配置図を機器配置図記憶部（１６）に保存する（例えばステップＳ１０８）、ように構成されていてもよい。
【００１７】
設計条件を満たさないと判定されたことに応じて、その旨を示すエラー表示を行う（例えばステップＳ１０５）、ように構成されていてもよい。
【００１８】
設置対象の機器を示す機器図形を取り込む図形取込部（１３）によって取り込まれた機器図形の指定を受け付けることで、設置対象の機器の指定を受け付ける、ように構成されていてもよい。
【００１９】
作成された機器配置図に従って配置フロアに配置された機器の位置を測定する位置測定部（２１ａ〜２１ｎ）によって測定された位置にもとづいて、前記機器配置図に示された設置場所に正しく機器が配置されているか否かを判定し（例えばステップＳ２０３）、判定結果を表示する（例えばステップＳ２０４，Ｓ２０５）、ように構成されていてもよい。
【００２０】
本発明の機器配置図作成プログラムによれば、変電所に設置される機器の配置図を示す機器配置図を作成させるための機器配置図作成プログラムであって、コンピュータ（例えば機器配置図作成装置１００）に、機器が配置される配置フロア内における設置対象の機器および当該機器の設置場所の指定を受け付けるステップと、受け付けた機器である指定機器を示す指定機器図形を、受け付けた設置場所である指定設置場所に仮表示するステップと、前記指定機器および前記指定設置場所が、あらかじめ定められた設計条件を記憶する設計条件記憶部（２０）に記憶された当該設計条件を満たすか否か判定するステップと、前記設計条件を満たすと判定されたことに応じて、前記配置フロア内の指定設置場所に仮表示されていた前記指定機器図形を確定表示するステップとを、実行させるための機器配置図作成プログラムが提供される。
【００２１】
コンピュータに、さらに、機器配置図の作成完了の指定を受け付けるステップと、機器配置図の作成完了の指定を受け付けたことに応じて、確定表示された指定機器図形を含む機器配置図を機器配置図記憶部（１６）に保存するステップとを、実行させるように構成されていてもよい。
【００２２】
コンピュータに、さらに、設計条件を満たさないと判定されたことに応じて、その旨を示すエラー表示を行うステップを、実行させるように構成されていてもよい。
【００２３】
コンピュータに、さらに、設置対象の機器を示す機器図形を取り込む図形取込部（１３）によって取り込まれた機器図形の指定を受け付けることで、設置対象の機器の指定を受け付けるステップを、実行させるように構成されていてもよい。
【００２４】
コンピュータに、さらに、作成された機器配置図に従って配置フロアに配置された機器の位置を測定する位置測定部（２１ａ〜２１ｎ）によって測定された位置にもとづいて、前記機器配置図に示された設置場所に正しく機器が配置されているか否かを判定するステップと、該判定の結果を表示するステップとを、実行させるように構成されていてもよい。
【発明の効果】
【００２５】
上記構成の発明では、変電所における機器の配置を示す機器配置図の作成・変更などの処理の作業を迅速かつ的確に行うことができ、機器配置図作成作業の効率化を図ることができる。
【発明を実施するための最良の形態】
【００２６】
以下、本発明の好ましい実施の形態を図面を参照して説明する。
図１は本発明の一実施の形態における機器配置図作成装置１００を示すブロック図である。
図１に示すように、機器配置図作成装置１００は、情報入力部１１と、情報表示部１２と、機器外形図入力部１３と、機器外形図格納部１４と、配置図作成ツール格納部１５と、既登録図面格納部１６と、図面作成・修正処理部１７と、機器配置条件判定部１８と、機器配置状態判定部１９と、機器配置条件格納部２０を備えた装置である。
【００２７】
なお、機器配置図作成装置１００を構成する各部の一部が、例えば専用回線網やインターネットなどの通信ネットワークによって接続されていてもよい。
【００２８】
機器配置図作成装置１００は、例えばパーソナルコンピュータなどの情報処理装置によって構成され、例えば変電所の担当作業員によって管理される。
【００２９】
また、図１に示すように、機器配置図作成装置１００は、ＧＰＳ衛星からの信号を受信して絶対位置（緯度、経度）を算出する複数のＧＰＳ受信機２１ａ〜２１ｎが接続されている。
【００３０】
情報入力部１１は、例えばキーボードやマウスなどの情報入力装置によって構成され、作業員の操作に応じて各種の情報を入力する機能を有する。
【００３１】
情報表示部１２は、例えば液晶表示装置などの情報表示装置によって構成され、機器配置図などの各種の情報を表示する機能を有する。
【００３２】
機器外形図入力部１３は、例えばスキャナなどの紙面に記載されている情報を電子データとして取り込む情報取込装置によって構成され、機器配置図を構成する機器の外形図などの各種の情報を電子データとして取り込む機能を有する。
【００３３】
機器外形図格納部１４は、例えばデータベース装置などの情報記憶媒体によって構成され、機器外形図入力部１３によって取り込まれた機器外形図データなどの各種の機器外形図データが格納される。
【００３４】
配置図作成ツール格納部１５は、例えばデータベース装置などの情報記憶媒体によって構成され、例えばＣＡＤ（Computer Aided Design）などの機器配置図の作成・修正などに用いられる所定の図面作成ツールが格納される。
【００３５】
既登録図面格納部１６は、例えばデータベース装置などの情報記憶媒体によって構成され、過去に作成された機器配置図データが格納される。
【００３６】
図面作成・修正処理部１７は、例えばＣＰＵなどの情報処理手段によって構成され、情報入力部１１からの指示に応じて、配置図作成ツール格納部１５に格納されている図面作成ツールを用いて機器配置図データの作成処理や修正処理などの各種の処理を実行する機能を有する。
【００３７】
機器配置条件判定部１８は、例えばＣＰＵなどの情報処理手段によって構成され、機器配置図における機器の配置場所などが、あらかじめ登録されている機器配置条件を満たしているか否かを判定する処理などの各種の処理を実行する機能を有する。
【００３８】
機器配置状態判定部１９は、例えばＣＰＵなどの情報処理手段によって構成され、作成された機器配置図にもとづいて実際に配置された機器の配置場所などの配置状態が適切であるか否かを判定する処理などの各種の処理を実行する機能を有する。
【００３９】
機器配置条件格納部２０は、例えばデータベース装置などの情報記憶媒体によって構成され、情報入力部１１の操作によって作業員によって入力された機器配置条件データが格納される。
【００４０】
図２は、機器配置条件の具体例を示す説明図である。機器配置条件を示す機器配置条件データは、作業員による情報入力部１１の操作によって入力され、あらかじめ機器配置条件格納部２０に格納される。
【００４１】
機器配置条件は、例えば関係省庁などからの指示に従って電力会社などが自主的に定めている指針（変電所機器配置設計指針）を加味して決定される。すなわち、機器配置条件は、指針に定められている機器配置における各種の条件を満たすレベルに定められる。
【００４２】
この例では、図２に示すように、機器配置条件は、条件の概要を示す「項目」と、条件の内容を示す「設計条件」とによって構成される。図２には、具体例として、「配置」の項目に、「機器Ａに隣接して機器Ｂが置かれていないこと」という設計条件が設定されている。また、「スペース」の項目に、「機器の搬入・搬出スペースが確保されていること」という設計条件が設定されている。なお、機器の搬入・搬出スペースが確保されているか否かは、搬入や搬出の際の機器の運搬スペースや作業スペースが確保されているか否かによって判断され、具体的には、機器が設置されるフロアの出入口から対象機器の設置場所までに所定幅（例えば運搬用のトラックが走行可能な幅：具体的には例えば６［ｍ］）の通路が確保されているか否かによって判断される。
【００４３】
なお、図２に示す機器配置条件は一例であり、例えば、フェンスや内側溝のスペースが確保されていること、送電線や変圧器用の母線側断線路のスペースが確保されていること、などにもとづく各種の条件があらかじめ決定され機器配置条件格納部２０に設定されている。
【００４４】
次に、本例の機器配置図作成装置１００の動作について図面を参照して説明する。
図３は、本例の機器配置図作成装置１００が実行する機器配置図作成処理の例を示すフローチャートである。
【００４５】
機器配置図作成処理において、機器外形図入力部１３は、図面作成・修正処理部１７の制御に従って、紙に記載されている変圧器などの各種の機器の外形図（例えば、上方から見た外形を示す図であり、写真であっても模式図であってもよい）を読み取り、電子データとして取り込んだ機器外形図データを機器外形図格納部１４に格納する（ステップＳ１０１）。
【００４６】
ステップＳ１０１では、機器配置図の作成に用いられる各種の機器の外形図が読み取られ、機器外形図データが機器外形図格納部１４に格納される。なお、機器配置図の作成に用いられる機器の機器外形図データが既に機器外形図格納部１４に格納されている場合には、その機器についてはステップＳ１０１の処理は必要ない。
【００４７】
なお、機器外形図データは、対象となる機器の寸法が、機器配置図の作成に用いられる配置フロア（機器が配置されるフロア）の縮小率と同じ縮小率で縮小された大きさとなるように調整されたあと、機器外形図格納部１４に格納される。この調整は、図面作成・修正処理部１７が、例えば作業員からの指示（情報入力部１１の操作による指示）に従って、機器外形図データが示す機器外形図を拡大したり縮小したりすることで行われる。なお、対象となる機器の寸法があらかじめ調整された外形図を機器外形図入力部１３によって読み取るようにしてもよい。
【００４８】
次いで、図面作成・修正処理部１７は、配置フロアに配置する機器、および配置場所の指定を受け付ける（ステップＳ１０２）。この例では、作業員は、情報入力部１１を操作することで、配置フロアに配置する機器、および配置場所を指定する。
【００４９】
図４は、配置フロアに配置する機器の指定操作が行われたときの情報表示部１２の表示画面の例を示す説明図である。図５は、機器の配置場所の指定操作が行われたときの情報表示部１２の表示画面の例を示す説明図である。
【００５０】
図４に示すように、情報表示部１２の表示画面には、配置フロアを表示する配置フロア表示領域と、配置フロアへの配置候補である各機器の外形図を表示する機器外形図表示領域とが設けられている。機器外形図表示領域には、機器外形図格納部１４に格納されている機器外形図データが示す機器外形図が表示される。
【００５１】
作業員は、図４に示すように、情報入力部１１の一例であるマウスを操作して、マウスカーソルＭを所望の機器外形図が表示されている領域に移動させ、機器外形図上にマウスカーソルＭが位置しているときにクリック操作を行うことで、配置フロアに配置する機器の指定操作を行う。そして、図５に示すように、マウスクリックした状態（マウスが押下された状態）のままドラッグ操作を行い、配置フロア内にマウスカーソルＭとともに機器外形図を移動させ、配置フロア内の座標表示を確認し、所望の配置場所に機器外形図が位置しているときにドラッグ操作を終了（マウスの押下状態を終了）することで、機器の配置場所の指定操作を行う。
【００５２】
図面作成・修正処理部１７は、ステップＳ１０２にて、上記のようにして作業員によって指定された、配置フロアに配置する機器、および機器の配置場所を受け付ける。
【００５３】
図面作成・修正処理部１７は、配置フロアに配置する機器、および配置場所の指定を受け付けると、指定された機器を指定された場所に仮表示する（ステップＳ１０３）。仮表示は、例えば、指定された機器の外形図を指定された配置場所で点滅表示したり、確定表示を行うときの表示色（例えば黒）と異なる表示色（例えば赤）で表示したりすることによって行う。
【００５４】
次に、図面作成・修正処理部１７からの指示に応じて、機器配置条件判定部１８は、作業員によって指定された機器の指定された配置場所が、機器配置条件格納部２０に格納されている機器配置条件を満たすか否かを判定し、判定結果を図面作成・修正処理部１７に通知する（ステップＳ１０４）。
【００５５】
ステップＳ１０４では、作業員によって指定された機器を指定された配置場所に配置したと仮定したときに、機器配置条件に反した状態となるか否かを判定する。具体的には、作業員によって指定された機器を指定された配置場所に配置したと仮定したときに、隣接して配置されている機器が機器配置条件に反する機器でないかや、機器の搬出・搬入ルートが確保されているかなどが判定される。
【００５６】
ステップＳ１０４にて機器配置条件を満たしていないと判定された場合には、図面作成・修正処理部１７は、情報表示部１２の表示画面にエラー表示を行うとともに、機器および配置場所の再指定要求を行う（ステップＳ１０５）。エラー表示は、例えば、指定された機器を指定された場所に配置することは機器配置条件に反するため不可能である旨の表示と、エラーの理由となった機器配置条件の表示とを含む。再指定要求は、例えば、機器の指定および配置場所の指定のやり直しを促す旨の表示を情報表示部１２の表示画面に表示することによってなされる。
【００５７】
ステップＳ１０４にて機器配置条件を満たしていると判定された場合には、図面作成・修正処理部１７は、仮表示を終了し、作業員によって指定された機器を配置フロアにおける指定された場所に確定表示する（ステップＳ１０６）。確定表示は、例えば点滅表示によって仮表示されていた場合には、その点滅表示を終了して非点滅状態で機器外形図を表示することによって行われる。
【００５８】
そして、機器配置完了指示があれば（ステップＳ１０７のＹ）、図面作成・修正処理部１７は、機器配置図の作成処理を完了して、作成された機器配置図を既登録図面格納部１６に格納する（ステップＳ１０８）。機器配置完了指示は、作業員による情報入力部１１の操作によってなされる。作業員は、配置すべき全ての機器を配置フロアに配置していれば、情報入力部１１を操作して（例えば情報表示部１２の表示画面に表示されている完了ボタンの押下操作）、機器配置完了指示を行う。機器配置完了指示がなければ、図面作成・修正処理部１７は、ステップＳ１０２に移行する。
【００５９】
上記のようにして、配置すべき各機器を示す各機器外形図が、配置フロア上に配置されていくことで、機器配置図が作成される。図６と図７は、作成された機器配置図の具体例を示す説明図である。
図６は、変電所の屋外における送電線の引出し配置に関する各機器の配置設計の例を示す機器配置図である。図７は、変電所の屋外における送電線の引出し配置に関する各機器の配置設計の他の例を示す機器配置図である。
【００６０】
また、図８〜図１０は、作成された機器配置図の具体例を示す説明図である。
図８は、変電所内に設けられる配電用変電所制御室（配置フロアの具体例）に配置すべき各機器の配置設計の例を示す機器配置図である。図９は、配電用変電所制御室に配置すべき各機器の配置設計の他の例を示す機器配置図である。図１０は、配電用変電所制御室に配置すべき各機器の配置設計のさらに他の例を示す機器配置図である。
【００６１】
図１１は、本例の機器配置図作成装置１００が実行する機器配置状態判定処理の例を示すフローチャートである。機器配置状態判定処理は、作成された機器配置図にもとづいて各機器が実際に配置フロアに配置されたあと、各機器が機器配置図に合致した配置場所に配置されているか否かを判定し、その判定結果を報知する処理である。
【００６２】
図１２は、作成された機器配置図の概略を示す説明図である。図１２には、各機器におけるＧＰＳ受信機の取付場所がそれぞれ表示されている。ＧＰＳ受信機の取付場所は、例えば、作業員による情報入力部１１の操作によって指定される。
【００６３】
図１３は、配置フロアに配置される各機器と、取り付けられる各ＧＰＳ受信機との対応を示す説明図である。また、図１３には、各機器が配置されたときに対応する各ＧＰＳ受信機が位置することとなる配置予定位置（例えば、緯度と経度とによって示される）が示されている。図１３に示す情報は、機器配置図とともに作業員によって作成され、機器配置図作成装置１００が備えるデータベースにあらかじめ格納されているものとする。
【００６４】
機器配置状態判定処理において、機器配置状態判定部１９は、各ＧＰＳ受信機２１ａ〜２１ｆから位置情報を取得する（ステップＳ２０１）。
【００６５】
次いで、機器配置状態判定部１９は、ステップＳ２０１にて取得した位置情報が示す各ＧＰＳ受信機２１ａ〜２１ｆの実際の配置位置と、データベースに保存している各ＧＰＳ受信機２１ａ〜２１ｆの配置予定位置（図１３参照）とを比較する（ステップＳ２０２）。
【００６６】
各ＧＰＳ受信機２１ａ〜２１ｆの実際の配置位置と配置予定位置とが全て一致した場合には、機器配置状態判定部１９は、機器配置図に従って機器が的確に配置されていると判定し（ステップＳ２０３のＹ）、その旨を報知する（ステップＳ２０４）。例えば、「機器配置図通りに配置されています」という表示を情報表示部１２に表示することで報知する。
【００６７】
一方、各ＧＰＳ受信機２１ａ〜２１ｆの実際の配置位置と配置予定位置との一部または全部が一致しなかった場合には、機器配置状態判定部１９は、機器配置図に従って機器が的確に配置されていないと判定し（ステップＳ２０３のＮ）、その旨を報知する（ステップＳ２０５）。例えば、「機器Ａおよび機器Ｃが機器配置図通りに配置されていないので、配置作業をやり直してください」という表示を情報表示部１２に表示することで報知する。
【００６８】
上記のようにして、機器配置図にもとづいて実際に機器を配置したあとに、機器の配置状態が機器配置図に合致しているか否かが判定される。
【００６９】
以上説明したように、上述した機器配置図作成装置１００では、作業員の操作によって配置フロアへの機器の配置指定がなされたときに、機器配置条件を満たしているか否かを確認し、機器配置条件を満たしていれば機器の配置を許容し、機器配置条件を満たしていなければ機器の配置を拒否する構成としたので、変電所における機器の配置を示す機器配置図の作成処理の作業を迅速かつ的確に行うことができ、機器配置図作成作業の効率化を図ることができるようになる。
【００７０】
また、上述した機器配置図作成装置１００では、実際に配置された機器に取り付けられたＧＰＳ受信機からの位置情報にもとづいて、機器配置図に従って的確に機器が配置されているか否かを確認する構成としたので、作成された機器配置図と実際の機器の配置状態とが合致しているか否かを容易かつ迅速に確認することができるようになる。
【００７１】
なお、上述した実施の形態では、機器配置図の作成処理について説明したが、既に作成された機器配置図の修正作業を行う際にも、機器配置条件を満たしているか否かを確認する構成としてもよい。このように構成すれば、変電所における機器の配置を示す機器配置図の修正処理の作業を的確に行うことができるようになる。また、既存の機器配置図データを利用して新たな機器配置図を作成することができるため、機器配置図作成作業の効率化を図ることができるようになる。
【００７２】
また、上述した実施の形態では、ＧＰＳ受信機からの位置情報が示す実際の配置位置と、あらかじめ登録されている配置予定位置とを比較して、機器配置図に従って的確に機器が配置されているか否かを確認する処理を実行する構成としていたが、機器に取り付けられたＧＰＳ受信機からの位置情報が示す実際の配置位置から、実際の機器の配置状態を示す機器配置図を作成し、情報表示部１２に表示する構成としてもよい。このように構成すれば、機器を配置する際に参照された機器配置図と、実際の機器の配置状態を示す機器配置図とを、作業員が見比べることで、機器配置図に従って的確に機器が配置されているか否かを確認することができるようになる。
【００７３】
また、上述した実施の形態では、ＧＰＳ受信機を機器に取り付ける構成としていたが、機器の配置場所が認識可能な場所にＧＰＳ受信機が設置されていれば、機器に取り付けられていなくてもよき、例えば機器が配置されているフロアの床に設置されるようにしてもよい。
【００７４】
なお、上述した実施の形態では特に言及していないが、上述した実施の形態における機器配置図作成装置１００の各部が実行する各種の処理は、機器配置図作成装置１００に搭載されている機器配置図作成プログラムに従って実行されている。具体的には、機器配置図作成プログラムは、機器配置図作成装置（具体的には装置内のマイクロコンピュータ）１００に、図３，図１１に示した各処理を実行させるためのプログラムである。
【００７５】
なお、本発明は、上述した発明の実施の形態に限定されず、本発明の要旨を逸脱しない範囲で種々変更できることは勿論である。
【産業上の利用可能性】
【００７６】
本発明の機器配置図作成装置は、変電所に設置される機器の配置図を示す機器配置図を作成するために有用である。
【図面の簡単な説明】
【００７７】
【図１】本発明の機器配置図作成装置の構成例を示すブロック図である。
【図２】機器配置条件の具体例を示す説明図である。
【図３】機器配置図作成処理の例を示すフローチャートである。
【図４】配置フロアに配置する機器の指定操作が行われたときの情報表示部の表示画面の例を示す説明図である。
【図５】機器の配置場所の指定操作が行われたときの情報表示部の表示画面の例を示す説明図である。
【図６】変電所の屋外における送電線の引出し配置に関する各機器の配置設計の例を示す機器配置図である。
【図７】変電所の屋外における送電線の引出し配置に関する各機器の配置設計の他の例を示す機器配置図である。
【図８】変電所内に設けられる配電用変電所制御室に配置すべき各機器の配置設計の例を示す機器配置図である。
【図９】配電用変電所制御室に配置すべき各機器の配置設計の他の例を示す機器配置図である。
【図１０】配電用変電所制御室に配置すべき各機器の配置設計のさらに他の例を示す機器配置図である。
【図１１】機器配置状態判定処理の例を示すフローチャートである。
【図１２】作成された機器配置図の概略を示す説明図である。
【図１３】配置フロアに配置される各機器と取り付けられる各ＧＰＳ受信機との対応等を示す説明図である。
【符号の説明】
【００７８】
１１            情報入力部
１２            情報表示部
１３            機器外形図入力部
１４            機器外形図格納部
１５            配置図作成ツール格納部
１６            既登録図面格納部
１７            図面作成・修正処理部
１８            機器配置条件判定部
１９            機器配置状態判定部
２０            機器配置条件格納部
２１ａ〜２１ｎ  ＧＰＳ受信機
【図１】
2006184983.tif 000003
【図２】
2006184983.tif 000004
【図３】
2006184983.tif 000005
【図４】
2006184983.tif 000006
【図５】
2006184983.tif 000007
【図６】
2006184983.tif 000008
【図７】
2006184983.tif 000009
【図８】
2006184983.tif 000010
【図９】
2006184983.tif 000011
【図１０】
2006184983.tif 000012
【図１１】
2006184983.tif 000013
【図１２】
2006184983.tif 000014
【図１３】
2006184983.tif 000015